(57)【特許請求の範囲】
【請求項１】
ケース（１）にモニタとして使用されるＣＲＴ（２）のテレビ表示窓部（１０）を有し、前記テレビ表示窓部の前記ＣＲＴを覆うとともに両側に弾性引っ掛けツメ（１１ａ、１１ｂ）を有するＣＲＴカバー（１１）と、前記テレビ表示窓部の側面に前記弾性引っ掛けツメを係止するための突起部（１０ａ、１０ｂ）とを設けたことを特徴とするテレビドアホン装置。
【請求項２】
前記弾性引っ掛けツメは、前記突起部に係止される段部（２０ａ、２０ｂ）を有することを特徴とする請求項１記載のテレビドアホン装置。
【請求項３】
前記ＣＲＴカバーは、前記ＣＲＴカバーの前面に配置される前記ケースと前記ＣＲＴカバーの背面に配置される前記ＣＲＴとで挟み込まれて固定されることを特徴とする請求項１記載のテレビドアホン装置。
【発明の詳細な説明】
【０００１】
【発明の属する技術分野】
本発明はテレビドアホン装置に係り、特に、当該装置の組み立てを容易とするとともに、ケースからＣＲＴカバーが外れるのを防ぐテレビドアホン装置に関する。
【０００２】
【従来の技術】
従来から、この種のテレビドアホン装置として、図３の斜視図に示す構造のテレビドアホン装置が提案されている。
【０００３】
図３の斜視図において、当該装置のケース５１には、モニタとして使用するＣＲＴの表示面（図示せず）を露出させるためのテレビ表示窓部６０が開口されており、このテレビ表示窓部６０の側面には、フランジ６１が設けられている。
【０００４】
また、図３の斜視図において、ケース５１に開口されたテレビ表示窓部６０を介して表示面が露出されるＣＲＴ（図示せず）を覆い固定させるためのＣＲＴカバー７０の背面には、糊（図示せず）が塗布されており、塗布された糊によりテレビ表示窓部６０の側面に設けられたフランジ６１がＣＲＴカバー７０の裏面と接着される。
【０００５】
【発明が解決しようとする課題】
しかしながら、従来例のテレビドアホン装置において、ＣＲＴカバー７０をケース５１に固定させるためには、ＣＲＴカバー７０の背面に塗布された糊（図示せず）を使用せねばならない。
【０００６】
このため、テレビドアホン装置の製造ラインの作業者は、ＣＲＴカバー７０の背面に塗布された糊（図示せず）を不用意に触らないように貼り付け位置の位置合わせを慎重に行なわなければならず、煩雑さを有し作業効率が低下するばかりでなく、塗布された糊の不良や劣化に伴い、ケース５１に開口されるテレビ表示窓部６０の側面に設けられたフランジ６１からＣＲＴカバー７０が外れる虞があった。
【０００７】
本発明は、上述の難点を解消するためになされたもので、テレビドアホン装置の製造ラインの作業者による当該装置の組み立てを容易とし作業効率を向上させるとともに、ケースからＣＲＴカバーが外れるのを防ぐことができるテレビドアホン装置を提供することを目的としている。
【０００８】
【課題を解決するための手段】
上述の目的を達成するため、本発明のテレビドアホン装置は、ケースにモニタとして使用されるＣＲＴのテレビ表示窓部を有し、テレビ表示窓部のＣＲＴを覆うとともに両側に弾性引っ掛けツメを有するＣＲＴカバーと、テレビ表示窓部の側面に弾性引っ掛けツメを係止するための突起部とを設けている。
【０００９】
このようなテレビドアホン装置によれば、ＣＲＴカバーの両側に設けられた弾性引っ掛けツメを、ケースに開口されるテレビ表示窓部の側面に設けられた突起部に係止させることにより、テレビ表示窓部から表示面が露出されるＣＲＴを、ＣＲＴカバーにて覆うことができる。
【００１０】
また、本発明のテレビドアホン装置において、弾性引っ掛けツメは、突起部に係止される段部を有する。
【００１１】
このようなテレビドアホン装置によれば、ケースに開口されるテレビ表示窓部の側面に設けられた突起部に係止されるＣＲＴカバーの両側に設けられた弾性引っ掛けツメの部位は、段部で構成されることにより、ＣＲＴカバーをケースに固定させる際の位置決めができるばかりでなく、当該装置の組み立ても容易となる。
【００１２】
また、本発明のテレビドアホン装置において、ＣＲＴカバーは、ＣＲＴカバーの前面に配置されるケースとＣＲＴカバーの背面に配置されるＣＲＴとで挟み込まれて固定される。
【００１３】
このようなテレビドアホン装置によれば、ＣＲＴカバーの前面に配置されるケースとＣＲＴカバーの背面に配置されるＣＲＴとで当該ＣＲＴカバーを挟み込むことにより、ＣＲＴカバーがケースに固定され、ケースからＣＲＴカバーが外れるのを防ぐことができる。
【００１４】
【発明の実施の形態】
以下、本発明のテレビドアホン装置を適用した好ましい形態の実施例について、図面を参照して説明する。
【００１５】
図１は、本発明の一実施例によるテレビドアホン装置の構造を示す斜視図である。
【００１６】
図１の斜視図において、当該装置のケース１には、モニタとして使用、例えば、呼出操作を行なった来訪者の映像等を表示するＣＲＴ２の表示面を露出させるためのテレビ表示窓部１０が開口されている。また、ケース１に開口されたテレビ表示窓部１０の側面には、ＣＲＴ２の表示面を覆うためのＣＲＴカバー１１として当該ＣＲＴカバーの両側に設けられた弾性引っ掛けツメ１１ａ、１１ｂを係止する突起部１０ａ、１０ｂが設けられている。
【００１７】
また、図２は、本発明の一実施例によるテレビドアホン装置の構造を示す断面図であり、ケース１内の所定の位置にＣＲＴ２を位置決めした後、ＣＲＴカバー１１をケース１に固定させた状態を示す図である。
【００１８】
図２の断面図ににおいて、ＣＲＴカバー１１の両側に設けられた弾性引っ掛けツメ１１ａ、１１ｂは段部２０ａ、２０ｂを有しており、この段部２０ａ、２０ｂは、テレビ表示窓部１０の側面に設けられた突起部１０ａ、１０ｂに係止される。
【００１９】
このような構造の本発明の一実施例によるテレビドアホン装置において、当該装置を組み立てるにあたり、図２の断面図に示すように、ケース１内の所定の位置に位置決めされたＣＲＴ２の表示面をＣＲＴカバー１１にて覆うためには、ＣＲＴカバー１１の両側に設けられた弾性引っ掛けツメ１１ａ、１１ｂが有する段部２０ａ、２０ｂを、テレビ表示窓部１０の側面に設けられた突起部１０ａ、１０ｂに係止させる。このＣＲＴカバー１１は、当該ＣＲＴカバーの前面に配置されるケース１と当該ＣＲＴカバーの背面に配置されるＣＲＴ２とで挟み込まれてケース１に固定されることにより、ＣＲＴカバー１１をケース１に固定させる際の位置決めができ、テレビドアホン装置の製造ラインの作業者による当該装置の組み立ても容易となり作業効率が向上するばかりでなく、ケース１からＣＲＴカバー１１が外れるのを防ぐことができる。
【００２０】
【発明の効果】
以上の説明から明らかなように、本発明のテレビドアホン装置によれば、ＣＲＴカバーの両側に設けられた弾性引っ掛けツメを、ケースに開口されるテレビ表示窓部の側面に設けられた突起部に係止させることにより、テレビ表示窓部を介して表示面が露出されるＣＲＴをＣＲＴカバーにて覆うことができるとともに、突起部に係止された弾性引っ掛けツメの部位は、段部で構成されることにより、ＣＲＴカバーをケースに固定させる際の位置決めができるばかりでなく、テレビドアホン装置の製造ラインの作業者による当該装置の組み立ても容易となり作業効率が向上する。
【００２１】
また、本発明のテレビドアホン装置において、ＣＲＴカバーは、当該ＣＲＴカバーの前面に配置されるケースと当該ＣＲＴカバーの背面に配置されるＣＲＴとで挟み込みまれてケースに固定されることにより、ケースからＣＲＴカバーが外れるのを防ぐことができる。
【図面の簡単な説明】
【図１】本発明の一実施例によるテレビドアホン装置の構造を示す斜視図である。
【図２】本発明の一実施例によるテレビドアホン装置の構造を示す断面図である。
【図３】従来例のテレビドアホン装置の構造を示す斜視図である。
【符号の説明】
１・・・・・ケース
２・・・・・ＣＲＴ
１０・・・・・テレビ表示窓部
１０ａ、１０ｂ・・・・・突起部
１１・・・・・ＣＲＴカバー
１１ａ、１１ｂ・・・・・引っ掛けツメ
２０ａ、２０ｂ・・・・・段部
【図１】
0003955793.tif 000002
【図２】
0003955793.tif 000003
【図３】
0003955793.tif 000004